(57)【要約】【課題】正常に起動可能な液晶パネル用の電源回路を提供する。【解決手段】スイッチングレギュレータ制御部４０は、スイッチングレギュレータ１０２のスイッチング動作を制御するとともに、そのスイッチングに応じたパルス信号ＬＸ＿ＡＶＤＤを、本電源回路１００に外付けされる負電圧チャージポンプ回路２４に出力する。ロジック部３０は、（ａ）電源回路１００の動作開始が指示されると、ハイサイドトランジスタＭ１およびローサイドトランジスタＭ２をともにオフとし、レベルシフタ２２の出力端子をハイインピーダンス状態とし、（ｂ）入力電圧ＶＩＮが所定レベルに達すると、スイッチングレギュレータ制御部４０にスイッチング動作の開始を指示し、（ｃ）電源回路１００の起動が完了するとレベルシフタ２２のハイインピーダンス状態を解除する。【選択図】図４
2013009535.tif 000002
【特許請求の範囲】
【請求項１】
液晶ディスプレイ用の電源回路であって、
正のハイレベル電圧が入力される上側電圧端子と、
負のローレベル電圧が入力される下側電圧端子と、
前記上側電圧端子と前記下側電圧端子の間に順に直列に設けられたハイサイドトランジスタおよびローサイドトランジスタを含み、ロジックレベルで遷移する制御信号に応じて前記ハイサイドトランジスタおよび前記ローサイドトランジスタを相補的にオンすることにより、前記ハイレベル電圧と前記ローレベル電圧のいずれかのレベルをとる駆動信号を生成し、ゲートドライバに出力するレベルシフタと、
入力電圧を昇圧または降圧するスイッチングレギュレータのスイッチング動作を制御するとともに、前記スイッチングレギュレータのスイッチングに応じたパルス信号を、本電源回路に外付けされる前記ローレベル電圧を生成するように構成された負電圧チャージポンプ回路に出力するスイッチングレギュレータ制御部と、
（ａ）本電源回路の動作開始が指示されると、前記ハイサイドトランジスタおよび前記ローサイドトランジスタをともにオフとし、前記レベルシフタの出力端子をハイインピーダンス状態とし、（ｂ）前記入力電圧が所定レベルに達すると、前記スイッチングレギュレータ制御部にスイッチング動作の開始を指示し、（ｃ）本電源回路の起動が完了すると前記レベルシフタのハイインピーダンス状態を解除する、ロジック部と、
を備えることを特徴とする電源回路。
【請求項２】
液晶ディスプレイ用の電源回路であって、
正のハイレベル電圧が入力される上側電圧端子と、
負のローレベル電圧が入力される下側電圧端子と、
前記上側電圧端子と前記下側電圧端子の間に順に直列に設けられたハイサイドトランジスタおよびローサイドトランジスタを含み、ロジックレベルで遷移する制御信号に応じて前記ハイサイドトランジスタおよび前記ローサイドトランジスタを相補的にオンすることにより、前記ハイレベル電圧と前記ローレベル電圧のいずれかのレベルをとる駆動信号を生成し、ゲートドライバに出力するレベルシフタと、
本電源回路に外付けされる前記ローレベル電圧を生成するように構成された負電圧チャージポンプ回路にパルス信号を出力するパルス信号生成部と、
（ａ）本電源回路の動作開始が指示されると、前記ハイサイドトランジスタおよび前記ローサイドトランジスタをともにオフとし、前記レベルシフタの出力端子をハイインピーダンス状態とし、（ｂ）本電源回路に対する入力電圧が所定レベルに達すると、前記パルス信号生成部による前記パルス信号の生成の開始を指示し、（ｃ）本電源回路の起動が完了すると前記レベルシフタのハイインピーダンス状態を解除する、ロジック部と、
を備えることを特徴とする電源回路。
【請求項３】
入力電圧を昇圧または降圧するスイッチングレギュレータのスイッチング動作を制御するとともに、前記スイッチングレギュレータのスイッチングに応じて生成される信号を、前記パルス信号として前記負電圧チャージポンプ回路に出力するスイッチングレギュレータ制御部をさらに備え、
前記ロジック部は、
（ｂ）前記入力電圧が所定レベルに達すると、前記スイッチングレギュレータ制御部にスイッチング動作の開始を指示することを特徴とする請求項２に記載の電源回路。
【請求項４】
前記下側電圧端子と接地端子の間に設けられた放電スイッチをさらに備え、
前記ロジック部は、（ｄ）本電源回路の動作開始が指示されると、前記放電スイッチをオン状態とし、（ｅ）本電源回路の起動が完了すると前記放電スイッチをオフすることを特徴とする請求項１から３のいずれかに記載の電源回路。
【請求項５】
前記ロジック部は、（ｆ）本電源回路のシャットダウン時に、前記放電スイッチをオンすることを特徴とする請求項４に記載の電源回路。
【請求項６】
前記下側電圧端子と接地端子の間に、前記放電スイッチと直列に設けられた制限用抵抗をさらに備えることを特徴とする請求項４または５に記載の電源回路。
【請求項７】
液晶パネルと、
前記液晶パネルの走査線を駆動するゲートドライバと、
前記ゲートドライバに制御信号を出力する請求項１から６のいずれかに記載の電源回路と、
前記電源回路からの前記パルス信号を受けて前記ローレベル電圧を生成する負電圧チャージポンプ回路と、
を備えることを特徴とするディスプレイ装置。
【発明の詳細な説明】
【技術分野】
【０００１】
本発明は、液晶パネルの駆動技術に関する。
【背景技術】
【０００２】
図１は、液晶パネル２を備えるディスプレイ装置１の構成示すブロック図である。液晶パネル２は、複数のデータ線（不図示）と、データ線と直交するように配置される複数の走査線（不図示）と、データ線および走査線の交点にマトリクス状に配置された複数の画素回路ＴＦＴ（Thin Film Transistor）を備える。
【０００３】
タイミングコントローラ１０は、液晶パネル２に表示すべき画像データを生成する外部機器から、画像データおよび同期用のクロック信号を受信する。タイミングコントローラ１０は、各データ線の輝度を示す輝度データを、タイミングを調節してソースドライバ６に供給するとともに、各種の同期信号Ｓ１を生成して、ゲートドライバ４に供給する。ＥＥＰＲＯＭ１２には、液晶パネル２の解像度など、ディスプレイ装置１に固有の情報（ＥＤＩＤ）が格納されている。外部機器は、起動時、ディスプレイ装置１の接続時などに、ＥＥＰＲＯＭ１２に格納されたＥＤＩＤを取得する。
【０００４】
ゲートドライバ４は、タイミングコントローラ１０からの同期信号Ｓ１にもとづき、液晶パネル２の走査線を順次選択する。図１の液晶パネル２はいわゆるＧＩＰ（Gate in Panel）であり、ゲートドライバ４は液晶パネル２に内蔵されている。ソースドライバ６は、タイミングコントローラ１０からの輝度データにガンマ補正を施し、液晶パネル２のデータ線に、輝度データに応じた駆動電圧を印加する。
【０００５】
液晶パネル２の背面には、バックライト用光源として、ＬＥＤアレイが配置され、ＬＥＤドライバ８は、ＬＥＤアレイを駆動する。
【０００６】
電源ブロック２０は、タイミングコントローラ１０からの同期信号Ｓ１に応じて、ゲートドライバ４に対する駆動信号Ｓ２を発生するともに、ディスプレイ装置１の内部で必要とされる各種電源電圧を発生する。
【０００７】
スイッチング電源２６は、
（１）ソースドライバ６に対する電源電圧ＶＤＤ（１２．５Ｖ）
（２）ＥＥＰＲＯＭ１２およびタイミングコントローラ１０に対する電源電圧ＶＣＣ（３．３Ｖ）
（３）レベルシフタ２２に対するハイレベル電圧ＶＧＨ（３０Ｖ）
を生成する。
【０００８】
ＶＣＯＭアンプ２８は、電源電圧ＶＤＤを受け、それを分圧してコモン電圧ＶＣＯＭ（６．２５Ｖ）を生成し、ソースドライバ６に供給する。またスイッチング電源２６は、チャージポンプ回路２４に対して、所定の周波数でハイレベルとローレベルを交互に繰り返すパルス信号ＬＸを出力する。
【０００９】
チャージポンプ回路２４は、パルス信号ＬＸにもとづき、負電圧のローレベル電圧ＶＧＬ（−６．２Ｖ）を生成し、レベルシフタ２２に供給する。
【００１０】
タイミングコントローラ１０が生成する同期信号Ｓ１は、接地電圧（０Ｖ）と電源電圧ＶＣＣ（３．３Ｖ）の間をスイングする。レベルシフタ２２は、同期信号Ｓ１を、ローレベル電圧ＶＧＬ（−６．２Ｖ）とハイレベル電圧ＶＧＨ（３０Ｖ）の間でスイングするようにレベルシフトする。
【００１１】
図２は、本発明者が検討したレベルシフタ２２およびゲートドライバ４の構成例を示す回路図である。
チャージポンプ回路２４は、キャパシタＣ５１〜Ｃ５３、ダイオードＤ５１〜Ｄ５３、抵抗Ｒ５１、Ｒ５２を有する。入力キャパシタＣ５１にパルス信号ＬＸが印加されると、チャージポンプ回路２４の出力キャパシタＣ５３には、負電圧ＶＧＬが発生する。
【００１２】
レベルシフタ２２の上側電圧端子Ｐ１には、ハイレベル電圧ＶＧＨが、下側電圧端子Ｐ２には、ローレベル電圧ＶＧＬが印加される。レベルシフタ２２の出力段には、上側電圧端子Ｐ１と下側電圧端子Ｐ２の間に直列に設けられたハイサイドトランジスタＭ１とローサイドトランジスタＭ２が設けられる。同期信号Ｓ１がハイレベルのとき、ハイサイドトランジスタＭ１がオン、ローサイドトランジスタＭ２がオフとなり、レベルシフタ２２からはハイレベル電圧ＶＧＨが出力される。同期信号Ｓ１がローレベルのとき、ハイサイドトランジスタＭ１がオフ、ローサイドトランジスタＭ２がオンとなり、レベルシフタ２２からはローレベル電圧ＶＧＬが出力される。
【先行技術文献】
【特許文献】
【００１３】
【特許文献１】特開平８−３２０６７４号公報
【発明の概要】
【発明が解決しようとする課題】
【００１４】
本発明者は、図２のレベルシフタ２２およびチャージポンプ回路２４について検討し、以下の課題を認識するに至った。
【００１５】
ディスプレイ装置１が動作しているときに、ユーザがディスプレイ装置１の電源をオフしたとする。オフ直後、液晶パネル２のパネル容量ＣＰには電荷が残留している。そして、パネル容量ＣＰの電荷が抜けきる前に、ユーザがディスプレイ装置１の電源を再びオンしたとする。このとき、ローサイドトランジスタＭ２がオンすると、パネル容量ＣＰの電荷が、ローサイドトランジスタＭ２およびダイオードＤ５３を介して接地端子に流れる。つまり、本来負電圧であるべきチャージポンプ回路２４の出力電圧ＶＧＬが、０．７Ｖ程度の正の電圧となってしまう。これにより、電源ブロック２０が正常に起動せず、液晶パネル２に意図しない画像が表示されるなどの問題が生ずる。
【００１６】
本発明は係る状況に鑑みてなされたものであり、そのある態様の例示的な目的のひとつは、正常に起動可能な液晶パネル用の電源回路の提供にある。
【課題を解決するための手段】
【００１７】
本発明のある態様は、液晶ディスプレイ用の電源回路に関する。電源回路は、正のハイレベル電圧が入力される上側電圧端子と、負のローレベル電圧が入力される下側電圧端子と、レベルシフタと、スイッチングレギュレータ制御部と、ロジック部と、を備える。レベルシフタは、上側電圧端子と下側電圧端子の間に順に直列に設けられたハイサイドトランジスタおよびローサイドトランジスタを含み、ロジックレベルで遷移する制御信号に応じてハイサイドトランジスタおよびローサイドトランジスタを相補的にオンすることにより、ハイレベル電圧とローレベル電圧のいずれかのレベルをとる駆動信号を生成し、ゲートドライバに出力する。スイッチングレギュレータ制御部は、入力電圧を昇圧または降圧するスイッチングレギュレータのスイッチング動作を制御するとともに、スイッチングレギュレータのスイッチングに応じたパルス信号を、本電源回路に外付けされる前記ローレベル電圧を生成するように構成された負電圧チャージポンプ回路に出力する。ロジック部は、（ａ）本電源回路の動作開始が指示されると、ハイサイドトランジスタおよびローサイドトランジスタをともにオフとし、レベルシフタの出力端子をハイインピーダンス状態とし、（ｂ）入力電圧が所定レベルに達すると、スイッチングレギュレータ制御部にスイッチング動作の開始を指示し、（ｃ）本電源回路の起動が完了するとレベルシフタのハイインピーダンス状態を解除する。
【００１８】
この態様によると、起動直後に、レベルシフタのハイサイドトランジスタおよびローサイドトランジスタをオフとし、チャージポンプ回路の出力端子と液晶パネルの間の放電経路を遮断することにより、チャージポンプ回路の出力端子に正の電圧が発生するのを防止できる。
【００１９】
本発明の別の態様も、液晶ディスプレイ用の電源回路に関する。電源回路は、正のハイレベル電圧が入力される上側電圧端子と、レベルシフタと、パルス信号生成部と、ロジック部と、を備える。レベルシフタは、上側電圧端子と下側電圧端子の間に順に直列に設けられたハイサイドトランジスタおよびローサイドトランジスタを含み、ロジックレベルで遷移する制御信号に応じてハイサイドトランジスタおよびローサイドトランジスタを相補的にオンすることにより、ハイレベル電圧とローレベル電圧のいずれかのレベルをとる駆動信号を生成し、ゲートドライバに出力する。パルス信号生成部は、本電源回路に外付けされるローレベル電圧を生成するように構成された負電圧チャージポンプ回路にパルス信号を出力する。ロジック部は、（ａ）本電源回路の動作開始が指示されると、ハイサイドトランジスタおよびローサイドトランジスタをともにオフとし、レベルシフタの出力端子をハイインピーダンス状態とし、（ｂ）本電源回路に対する入力電圧が所定レベルに達すると、パルス信号生成部によるパルス信号の生成の開始を指示し、（ｃ）本電源回路の起動が完了するとレベルシフタのハイインピーダンス状態を解除する。
【００２０】
この態様によると、起動直後に、レベルシフタのハイサイドトランジスタおよびローサイドトランジスタをオフとし、チャージポンプ回路の出力端子と液晶パネルの間の放電経路を遮断することにより、チャージポンプ回路の出力端子に正の電圧が発生するのを防止できる。
【００２１】
ある態様の電源回路は、入力電圧を昇圧または降圧するスイッチングレギュレータのスイッチング動作を制御するとともに、スイッチングレギュレータのスイッチングに応じて生成される信号を、パルス信号として負電圧チャージポンプ回路に出力するスイッチングレギュレータ制御部をさらに備えてもよい。ロジック部は、（ｂ）入力電圧が所定レベルに達すると、スイッチングレギュレータ制御部にスイッチング動作の開始を指示してもよい。
【００２２】
ある態様の電源回路は、下側電圧端子と接地端子の間に設けられた放電スイッチをさらに備えてもよい。ロジック部は、（ｄ）本電源回路の動作開始が指示されると、放電スイッチをオン状態とし、（ｅ）本電源回路の起動が完了すると放電スイッチをオフしてもよい。
起動時に、放電スイッチをオンすることにより、チャージポンプ回路の動作開始前に、下側電圧端子の電位を、確実に接地電圧に固定することができる。
【００２３】
ロジック部は、（ｆ）本電源回路のシャットダウン時に、放電スイッチをオンしてもよい。
これにより、シャットダウン以前に、負電圧に保たれていたチャージポンプ回路の出力電圧を、急速に接地電圧に戻すことができる。
【００２４】
ある態様の電源回路は、下側電圧端子と接地端子の間に、放電スイッチと直列に設けられた制限用抵抗をさらに備えてもよい。
制限用抵抗によって、シャットダウン時の放電速度を制限することができる。
【００２５】
本発明の別の態様は、ディスプレイ装置である。この装置は、液晶パネルと、液晶パネルの走査線を駆動するゲートドライバと、ゲートドライバに駆動信号を出力する上述のいずれかの態様の電源回路と、電源回路からのパルス信号を受けてローレベル電圧を生成する負電圧チャージポンプ回路と、を備える。
【００２６】
なお、以上の構成要素の任意の組み合わせや本発明の構成要素や表現を、方法、装置、システムなどの間で相互に置換したものもまた、本発明の態様として有効である。
【発明の効果】
【００２７】
本発明によれば、液晶パネル用の電源回路を正常に起動できる。
【図面の簡単な説明】
【００２８】
【図１】液晶パネルを備えるディスプレイ装置の構成示すブロック図である。
【図２】本発明者が検討したレベルシフタおよびゲートドライバの構成例を示す回路図である。
【図３】実施の形態に係る電源回路を有するディスプレイ装置の構成の一部を示す回路図である。
【図４】図３の電源回路のレベルシフタの周辺の構成を示す回路図である。
【図５】図３のディスプレイ装置の動作を示す波形図である。
【発明を実施するための形態】
【００２９】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００３０】
本明細書において、「部材Ａが、部材Ｂと接続された状態」とは、部材Ａと部材Ｂが物理的に直接的に接続される場合や、部材Ａと部材Ｂが、それらの電気的な接続状態に実質的な影響を及ぼさない、あるいはそれらの結合により奏される機能や効果を損なわせない、その他の部材を介して間接的に接続される場合も含む。同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００３１】
図３は、実施の形態に係る電源回路１００を有するディスプレイ装置１の構成の一部を示す回路図である。ディスプレイ装置１の基本的な機能は図１を用いて説明した通りである。
【００３２】
電源回路１００は、ひとつの半導体基板上に集積化された機能ＩＣ（Integrated Circuit）である。図３においては、理解の容易化と説明の簡潔化のため、本発明と関係の無い回路ブロックや端子、周辺部品は省略している。具体的には位相補償用の部品、過電流保護回路、過電流保護回路、特性調整用の部品等が省略される。
【００３３】
昇圧型の第１スイッチングレギュレータ１０２、昇圧型の第２スイッチングレギュレータ１０４、降圧型の第３スイッチングレギュレータ１０６、負電圧生成用のチャージポンプ回路２４、およびそれらを制御する電源回路１００は、図１の電源ブロック２０に対応する。
【００３４】
入力端子ＰＩＮには、５Ｖ程度の入力電圧ＶＩＮが入力される。入力電圧ＶＩＮは、電源回路１００の電源端子ＶＩＮ＿１に入力される。電源回路１００のイネーブル端子ＥＮ（４番ピン）には、キャパシタＣ８が接続されるとともに、抵抗Ｒ８を介して入力電圧ＶＩＮが入力される。電源回路１００は、イネーブル端子ＥＮの電位にもとづき、入力電圧ＶＩＮが立ち上がっているか否かを判定する。
【００３５】
電源回路１００のクロック端子ＳＣＬ（９番ピン）およびデータ端子ＳＤＡ（１０番ピン）は、Ｉ２Ｃバスを介してマイコン１４と接続される。ロジック部３０は、マイコン１４からのデータを受けるインタフェース機能と、電源回路１００全体を制御する機能とを有する。
【００３６】
電源回路１００のＣＬＫ１端子（１１番ピン）、オンクロック端子ＣＫＬ２（１２番ピン）、オフクロック端子（１３番ピン）、ＣＬＫ４端子（１４番ピン）には、タイミングコントローラ１０からの制御信号Ｓ１（ＣＬＫ１、ＣＬＫ２、ＣＬＫ３、ＣＬＫ４）が入力される。
【００３７】
オシレータ３２は、周波数設定端子ＦＲＥＱ（４７番ピン）に外付けされる抵抗Ｒ１４の抵抗値に応じた周波数で発振する。オシレータ３２の出力は、スイッチングレギュレータ１０２、１０４、１０６に供給され、それらのスイッチング動作に利用される。
【００３８】
第１スイッチングレギュレータ１０２は、入力電圧ＶＩＮを受け、それを昇圧して、１２．５Ｖ程度の電源電圧ＡＶＤＤを生成する。第１スイッチングレギュレータ１０２は、たとえばインダクタＬ１、整流用ダイオードＤ１、出力キャパシタＣ１、スイッチングトランジスタＭ１１、第１制御部４０を備える。接地端子ＰＧＮＤ＿３（４０、４１番ピン）は接地される。スイッチングトランジスタＭ１１は、スイッチング端子ＬＸ＿ＡＶＤＤ（４２、４３番ピン）と接地端子ＰＧＮＤ＿３の間に設けられる。電源電圧ＡＶＤＤは、抵抗Ｒ１１、Ｒ１２によって分圧され、フィードバック端子ＦＢ＿ＡＶＤＤ（３９番ピン）にフィードバックされる。第１制御部４０は、フィードバックされた電圧が目標電圧と近づくように、スイッチングトランジスタＭ１１のスイッチングのデューティ比を調節する。
【００３９】
第１スイッチングレギュレータ１０２が生成した電源電圧ＡＶＤＤは、ソースドライバ６に供給されるとともに、電源回路１００の電源端子ＡＶＤＤ（３９番ピン）に供給される。
【００４０】
第１制御部４０がスイッチングトランジスタＭ１１をスイッチング制御することにより、スイッチング端子ＬＸ＿ＡＶＤＤには、スイッチング動作と同期したパルス信号ＬＸが発生する。このパルス信号ＬＸは、負電圧を生成するチャージポンプ回路２４に供給される。その結果、チャージポンプ回路２４の出力端子には、負のローレベル電圧ＶＧＬが発生する。このローレベル電圧ＶＧＬは、電源回路１００の下側電圧端子ＶＧＬ（２４番ピン）に供給される。
【００４１】
ＶＣＯＭアンプ２８は、電源電圧ＡＶＤＤを分圧し、液晶パネル２の共通電極に供給すべきコモン電圧ＶＣＯＭを生成し、ＶＣＯＭ端子（３５番ピン）から出力する。ＶＣＯＭアンプ２８が生成するコモン電圧ＶＣＯＭのレベルは、ロジック部３０がマイコン１４から受信したデータに応じて設定可能となっている。
【００４２】
第２スイッチングレギュレータ１０４は、第１スイッチングレギュレータ１０２により生成した電源電圧ＡＶＤＤを受け、それをさらに昇圧し、３０Ｖ程度のハイレベル電圧ＶＧＨを生成する。
【００４３】
第２スイッチングレギュレータ１０４は、インダクタＬ２、整流用ダイオードＤ２、出力キャパシタＣ２、スイッチングトランジスタＭ２１、第２制御部４２を備え、第１スイッチングレギュレータ１０２と同様に構成される。
接地端子ＰＧＮＤ＿２（２８、２９番ピン）は接地される。スイッチングトランジスタＭ２１は、スイッチング端子ＬＸ＿ＶＧＨ（２８番ピン）と接地端子ＰＧＮＤ＿３の間に設けられる。ハイレベル電圧ＶＧＨは、抵抗Ｒ２１、Ｒ２２によって分圧され、フィードバック端子ＦＢ＿ＶＧＨ（３０番ピン）にフィードバックされる。第２制御部４２は、フィードバックされた電圧が目標電圧と近づくように、スイッチングトランジスタＭ２１のデューティ比を調節する。
【００４４】
第３スイッチングレギュレータ１０６は、入力電圧ＶＩＮを受け、それを降圧して３．３Ｖ程度の電源電圧ＶＣＣを生成する。
【００４５】
第３スイッチングレギュレータ１０６は、インダクタＬ３、出力キャパシタＣ３、スイッチングトランジスタＭ３１、同期整流用トランジスタＭ３２、第３制御部４４を備える。
接地端子ＰＧＮＤ＿１（５番ピン）は接地される。スイッチングトランジスタＭ３１は、電源端子ＶＩＮ＿１とスイッチング端子ＬＸ＿ＶＣＣ（３番ピン）の間に設けられ、同期整流用トランジスタＭ３２は、スイッチング端子ＬＸ＿ＶＣＣと接地端子ＰＧＮＤ＿１の間に設けられる。電源電圧ＶＣＣは、抵抗Ｒ３１、Ｒ３２によって分圧され、フィードバック端子ＦＢ＿ＶＣＣ（６番ピン）にフィードバックされる。第３制御部４４は、フィードバックされた電圧が目標電圧と近づくように、スイッチングトランジスタＭ３１および同期整流用トランジスタＭ３２のデューティ比を調節する。
【００４６】
第３スイッチングレギュレータ１０６が生成した電源電圧ＶＣＣは、タイミングコントローラ１０およびＥＥＰＲＯＭ１２に供給される。
【００４７】
電源回路１００は、８チャンネルのレベルシフタを備え、ロジックレベルで遷移する制御信号Ｓ１を受け、それらにもとづいて、ハイレベル電圧ＶＧＨとローレベル電圧ＶＧＬのいずれかのレベルをとる駆動信号Ｓ２（ＯＵＴ１、ＯＵＴ２、ＯＵＴ３〜ＯＵＴ６、ＯＵＴ７、ＯＵＴ８）を生成し、液晶パネル２に対して出力する。
【００４８】
駆動信号ＯＵＴ１〜ＯＵＴ８は、駆動対象の液晶パネルの仕様に応じて規定される信号であり、特に限定されるものではない。
【００４９】
一例として、ＯＵＴ１信号は、液晶パネル２の放電を制御するための信号である。電源回路１００の検出端子ＶＳＥＮＳＥ（２番ピン）には、抵抗Ｒ４１、Ｒ４２によって分圧された入力電圧ＶＩＮが印加される。検出回路４６は、検出端子ＶＳＥＮＳＥの電圧が所定のしきい値電圧ＶＴＨより高いか低いかを判定する。ＯＵＴ１信号を生成するレベルシフタ２２は、電圧ＶＳＥＮＳＥが第１しきい値電圧ＶＴＨ１（＝１．３３Ｖ）以上になると、ＯＵＴ１出力をローレベル電圧ＶＧＬとし、電圧ＶＳＥＮＳＥが第２しきい値電圧ＶＴＨ２（１．２１Ｖ）以下になると、ＯＵＴ１出力をハイレベル電圧ＶＧＨとする。
【００５０】
図４は、図３の電源回路１００のレベルシフタ２２の周辺の構成を示す回路図である。各チャンネルのレベルシフタ２２は同様に構成され、それぞれが、上側電圧端子ＶＧＨと下側電圧端子ＶＧＬの間に直列に設けられたハイサイドトランジスタＭ１およびローサイドトランジスタＭ２を含む。
【００５１】
また、下側電圧端子ＶＧＬと接地端子の間には、放電スイッチＭ３、制限抵抗Ｒ３が直列に設けられ、さらに下側電圧端子ＶＧＬと接地端子の間には、保護ダイオードＤ４が設けられる。
【００５２】
チャージポンプ回路２４の構成は、図２のそれと同様である。
【００５３】
図３に戻る。ロジック部３０は、（ａ）電源回路１００の動作開始が指示されると、全チャンネルのレベルシフタ２２において、ハイサイドトランジスタＭ１およびローサイドトランジスタＭ２をともにオフとし、レベルシフタ２２の出力端子（１６〜２３番ピン）をハイインピーダンス状態とする。そしてロジック部３０は、（ｂ）入力電圧ＶＩＮが所定レベルに達すると、第１制御部４０にスイッチング動作の開始を指示する。このときあわせて第２制御部４２および第３制御部４４に対してスイッチング動作の開始を指示してもよい。ロジック部３０は、（ｃ）電源回路１００の起動が完了すると、レベルシフタ２２の出力ハイインピーダンス状態を解除する。
【００５４】
また、ロジック部３０は、（ｄ）電源回路１００の動作開始が指示されると、放電スイッチＭ３をオン状態とし、（ｅ）本電源回路の起動が完了すると放電スイッチＭ３をオフする。
さらにロジック部３０は、（ｆ）電源回路１００のシャットダウン時に、放電スイッチＭ３をオンするとともに、レベルシフタ２２のハイサイドトランジスタＭ１をオンする。
【００５５】
ロジック部３０は、ＣＬＫ４信号もしくはＣＬＫ１信号の発生をトリガーとして起動完了と判定し、レベルシフタ２２のハイインピーダンス状態を解除してもよい。またロジック部３０は、電圧ＶＳＥＮＳＥが第２しきい値電圧ＶＴＨ２を下回ったことをトリガーとして、放電スイッチＭ３をオンしてもよい。
【００５６】
以上が電源回路１００の構成である。続いてその動作を説明する。図５は、図３のディスプレイ装置１の動作を示す波形図である。
【００５７】
図５の波形図は、ＯＵＴ１信号を出力信号するレベルシフタ２２に着目している。
【００５８】
時刻ｔ０に、ユーザがディスプレイ装置１の電源をオンすると、入力電圧ＶＩＮが立ち上がり始める。ロジック部３０は、起動が完了する時刻ｔ５までの期間、放電スイッチＭ３をオンするとともに、全チャンネルのレベルシフタ２２の出力をハイインピーダンス状態とする。
【００５９】
起動時に放電スイッチＭ３をオンしておくことにより、チャージポンプ回路２４の出力電圧ＶＧＬを接地電位に固定しておくことができる。
【００６０】
入力電圧ＶＩＮの上昇にともない、検出端子ＶＳＥＮＳＥの電位も上昇し、時刻ｔ１に第１しきい値電圧ＶＴＨ１より高くなる。ロジック部３０によるレベルシフタ２２の制御がなければ、ＯＵＴ１信号は、時刻ｔ１に直ちにローレベル電圧ＶＧＬとなるはずであるが、実施の形態では、レベルシフタ２２の出力がハイインピーダンス状態とされているため、ＯＵＴ１信号は、接地電圧付近のレベルを維持する。
【００６１】
起動直後、第１スイッチングレギュレータ１０２は停止しているが、入力端子ＰＩＮとＡＶＤＤ端子の間は、インダクタＬ１および整流用ダイオードＤ１で接続されるため、電源電圧ＡＶＤＤは、ＶＩＮ−ＶＦを保ちながら上昇する。ＶＦは、整流用ダイオードＤ１の順方向電圧である。また第２スイッチングレギュレータ１０４は停止しているが、ＡＶＤＤ端子とＶＧＨ端子の間は、インダクタＬ２と整流用ダイオードＤ２で接続されているため、ハイレベル電圧ＶＧＨは、ＡＶＤＤ−ＶＦを保ちながら上昇する。
【００６２】
入力電圧ＶＩＮが所定値に立ち上がった後の時刻ｔ３に、ロジック部３０は、第１スイッチングレギュレータ１０２のスイッチング動作の開始を指示する。これにより、電源電圧ＡＶＤＤは目標値まで上昇する。第１スイッチングレギュレータ１０２の動作開始にともない、チャージポンプ回路２４にパルス信号ＬＸが供給され、負のローレベル電圧ＶＧＬが生成される。
【００６３】
電源電圧ＡＶＤＤが目標値まで上昇した後の時刻ｔ４に、ロジック部３０は第２スイッチングレギュレータ１０４のスイッチング動作の開始を指示する。これにより、ハイレベル電圧ＶＧＨが上昇する。
【００６４】
時刻ｔ５に、タイミングコントローラ１０からのＣＬＫ４信号もしくはＣＬＫ１信号が発生すると、ロジック部３０は、これをトリガーとして起動完了と判定し、レベルシフタ２２のハイインピーダンス状態を解除する。このとき、ＶＳＥＮＳＥ＞ＶＴＨ１であるため、ハイインピーダンス状態が解除されたレベルシフタ２２の出力ＯＵＴ１はローレベル電圧ＶＧＬに遷移する。
【００６５】
時刻ｔ６に、ユーザがディスプレイ装置１の電源をオフする。これにより、入力電圧ＶＩＮが低下しはじめ、時刻ｔ７に、検出電圧ＶＳＥＮＳＥが第２しきい値電圧ＶＴＨを下回る。その結果、ハイサイドトランジスタＭ１がオン、ローサイドトランジスタＭ２がオフ状態となり、ＯＵＴ１信号の電圧レベルは、ハイレベル電圧ＶＧＨまで上昇する。これにより液晶パネル２の電荷が放電される。
【００６６】
また時刻ｔ７においてロジック部３０は放電スイッチＭ３をオンする。これにより、シャットダウン時に、それまで負電圧に保たれていたチャージポンプ回路２４の出力電圧ＶＧＬを、急速に接地電圧（０Ｖ）に戻すことができる。
【００６７】
放電スイッチＭ３を設けない場合、あるいはシャットダウン時にオンさせない場合、チャージポンプ回路２４の出力キャパシタＣ５３の電荷は、抵抗Ｒ５２を介して放電されることになる。抵抗Ｒ５３の抵抗値は非常に大きく、それを介した放電には長時間を有するため、ディスプレイ装置１がシャットダウンしているにもかかわらず、下側電圧端子Ｐ２に負電圧が生ずることになる。これは、意図せぬ誤動作を引き起こすことになりかねないが、放電スイッチＭ３をオンすることにより、こうした誤動作を防止できる。
【００６８】
時刻ｔ７に、スイッチングレギュレータ１０２、１０４、１０６の動作が停止するため、その後はハイレベル電圧ＶＧＨ、電源電圧ＡＶＤＤは時間とともに低下する。その結果、ＯＵＴ１信号の電圧レベルも、ハイレベル電圧ＶＧＨに追従して低下する。
【００６９】
以上がディスプレイ装置１の動作である。
【００７０】
電源回路１００によれば、起動直後にレベルシフタ２２の出力をハイインピーダンスとするため、液晶パネル２の容量からの放電経路が遮断され、ローレベル電圧ＶＧＬが正電圧となるのを防止できる。これにより、液晶パネル２に意図せぬノイズや画像が表示されるのを防止できる。
【００７１】
また、放電スイッチＭ３を設け、シャットダウン時にオンさせることにより、チャージポンプ回路２４の出力電圧ＶＧＬを、すみやかに接地電圧に戻すことができる。
【００７２】
上記実施の形態は例示であり、それらの各構成要素や各処理プロセスの組み合わせにいろいろな変形例が可能なこと、またそうした変形例も本発明の範囲にあることは当業者に理解されるところである。
【００７３】
たとえばチャージポンプ回路２４の構成は、実施例のそれには限定されず、公知のさまざまな構成のチャージポンプ回路が利用しうる。なお本発明が解決しようとする課題、すなわちディスプレイ装置１の起動時にチャージポンプ回路の出力電圧が正電圧となるという課題は、出力ダイオードＤ５３を有するトポロジーにおいて顕著に発生するが、出力ダイオードＤ５３を有さないトポロジーにおいても、それと対応する素子によって同様の課題が生じうることは、当業者に理解される。
【００７４】
実施の形態では、第１制御部４０およびハイサイドトランジスタＭ１が発生するパルス信号ＬＸ＿ＡＶＤＤを、チャージポンプ回路２４を駆動するためのパルス信号として利用する場合を説明したが、本発明はそれに限定されない。たとえば、第２制御部４２あるいは第３制御部４４により生成されるパルス信号を、チャージポンプ回路２４に供給してもよい。
【００７５】
あるいは制御部４０、４２、４４とは別に、チャージポンプ回路２４に供給すべきパルス信号ＬＸを生成するパルス信号発生器を設けてもよい。この場合、ロジック部３０は、起動開始後、（ａ）ハイサイドトランジスタＭ１およびローサイドトランジスタＭ２をともにオフとし、レベルシフタ２２の出力端子をハイインピーダンス状態とし、（ｂ）入力電圧ＶＩＮが所定レベルに達すると、パルス信号生成部によるパルス信号ＬＸの生成の開始を指示し、（ｃ）電源回路１００の起動が完了するとレベルシフタ２２のハイインピーダンス状態を解除すればよい。
【００７６】
実施の形態では、レベルシフタ２２が８チャンネル設けられる場合を説明したが、チャンネル数ならびに、各レベルシフタが発生する信号の種類、機能は特に限定されない。
【００７７】
以上、実施の形態にもとづき本発明を説明したが、実施の形態は、本発明の原理、応用を示しているにすぎないことはいうまでもなく、実施の形態には、請求の範囲に規定された本発明の思想を逸脱しない範囲において、多くの変形例や配置の変更が認められることはいうまでもない。
【符号の説明】
【００７８】
１…ディスプレイ装置、２…液晶パネル、４…ゲートドライバ、６…ソースドライバ、８…ＬＥＤドライバ、１０…タイミングコントローラ、１２…ＥＥＰＲＯＭ、２０…電源ブロック、２２…レベルシフタ、２４…チャージポンプ回路、２６…スイッチング電源、２８…ＶＣＯＭアンプ、３０…ロジック部、４０…第１制御部、４２…第２制御部、４４…第３制御部、Ｍ１…ハイサイドトランジスタ、Ｍ２…ローサイドトランジスタ、Ｍ３…放電スイッチ、１００…電源回路、１０２…第１スイッチングレギュレータ、１０４…第２スイッチングレギュレータ、１０６…第３スイッチングレギュレータ、Ｐ１…上側電圧端子、Ｐ２…下側電圧端子。
【図１】
2013009535.tif 000003
【図２】
2013009535.tif 000004
【図３】
2013009535.tif 000005
【図４】
2013009535.tif 000006
【図５】
2013009535.tif 000007